(57)【要約】【課題】１台の端末装置を複数のユーザで共有する場合、ユーザ毎に異なるＵＲＬフィルタリングルールを容易に適用することが可能なルータ装置及びルータ装置のフィルタリング方法を提供すること【解決手段】本発明にかかるルータ装置１１は、端末装置５１を識別する端末識別子と、異なる閲覧制限を課す複数のフィルタリングルール情報と、複数のフィルタリングルール情報の各々を適応可能とするための認証情報と、を相互に関連付けて記憶するフィルタリング情報記憶部と、端末装置５１から閲覧要求を受けた場合に、端末装置５１から端末識別子と認証情報とを取得して、端末識別子と認証情報により適用可能と判定されたフィルタリングルールを特定し、この特定されたフィルタリングルールに基づいて閲覧要求による情報の閲覧の可否を判定し、フィルタリング処理を実行するフィルタリング処理部と、を備える。【選択図】図１
2019012545.tif 000002
【特許請求の範囲】
【請求項１】
端末装置と外部通信網とに接続され、当該端末装置から当該外部通信網上の情報に対する閲覧要求に対応して当該情報を前記端末装置に対して送信するルータ装置であって、
前記端末装置を識別する端末識別子と、異なる閲覧制限を課す複数のフィルタリングルール情報と、前記複数のフィルタリングルール情報の各々を適応可能とするための認証情報と、を相互に関連付けて記憶するフィルタリング情報記憶部と、
前記端末装置から閲覧要求を受けた場合に、前記端末装置から前記端末識別子と認証情報とを取得し、前記認証情報により認証作業を行い、当該端末識別子と当該認証情報により適用可能と判定されたフィルタリングルールを特定し、前記特定されたフィルタリングルールに基づいて当該閲覧要求による情報の閲覧の可否を判定し、フィルタリング処理を実行するフィルタリング処理部と、
を備え、
前記複数のフィルタリングルール情報は、前記端末識別子に対応するデフォルトルールと、前記端末装置を使用するユーザに対応する個人ルールと、を含み、
前記フィルタリング処理部は、前記デフォルトルールにおいて前記閲覧要求された情報が閲覧不可である場合、複数の前記個人ルールの中から閲覧可能としている個人ルールが存在するか否かを確認し、
前記フィルタリング処理部は、前記閲覧可能としている個人ルールが存在する場合、前記端末装置に認証要求を行う、
ルータ装置。
【請求項２】
前記端末装置に他の認証情報が入力され前記端末装置から他の閲覧要求を受けた場合に、前記端末装置から前記端末識別子と前記他の認証情報とを取得して、前記端末識別子と前記他の認証情報により適用可能と判定された他のフィルタリングルールを特定し、前記フィルタリングルールから前記他のフィルタリングルールに切り替える、
請求項１に記載のルータ装置。
【請求項３】
前記特定されたフィルタリングルールに基づいた前記フィルタリング処理は、一定時間の間、実行される、
請求項１又は２に記載のルータ装置。
【請求項４】
端末装置と外部通信網とに接続され、当該端末装置から当該外部通信網上の情報に対する閲覧要求に対応して当該情報を前記端末装置に対して送信するルータ装置であって、
異なる閲覧制限を課す複数のフィルタリングルール情報と、前記複数のフィルタリングルール情報の各々を適応可能とするためのユーザ識別子と、を相互に関連付けて記憶するフィルタリング情報記憶部と、
前記端末装置から閲覧要求を受けた場合に、前記端末装置から前記ユーザ識別子を取得し、前記ユーザ識別子により認証作業を行い、当該ユーザ識別子により適用可能と判定されたフィルタリングルールを特定し、前記特定されたフィルタリングルールに基づいて当該閲覧要求による情報の閲覧の可否を判定し、フィルタリング処理を実行するフィルタリング処理部と、
を備え、
前記複数のフィルタリングルール情報は、前記端末装置を識別する端末識別子に対応するデフォルトルールと、前記端末装置を使用するユーザに対応する個人ルールと、を含み、
前記フィルタリング処理部は、前記デフォルトルールにおいて前記閲覧要求された情報が閲覧不可である場合、複数の前記個人ルールの中から閲覧可能としている個人ルールが存在するか否かを確認し、
前記フィルタリング処理部は、前記閲覧可能としている個人ルールが存在する場合、前記端末装置に認証要求を行う、
ルータ装置。
【請求項５】
端末装置と外部通信網とに接続され、当該端末装置から当該外部通信網上の情報に対する閲覧要求に対応して当該情報を前記端末装置に対して送信するルータ装置のフィルタリング方法であって、
前記端末装置を識別する端末識別子と、異なる閲覧制限を課す複数のフィルタリングルール情報と、前記複数のフィルタリングルール情報の各々を適応可能とするための認証情報と、を相互に関連付けて記憶するステップと、
前記端末装置から閲覧要求を受けた場合に、前記端末装置から前記端末識別子と認証情報とを取得し、前記認証情報により認証作業を行い、当該端末識別子と当該認証情報により適用可能と判定されたフィルタリングルールを特定し、前記特定されたフィルタリングルールに基づいて当該閲覧要求による情報の閲覧の可否を判定し、フィルタリング処理を実行するステップと、
を備え、
前記複数のフィルタリングルール情報は、前記端末識別子に対応するデフォルトルールと、前記端末装置を使用するユーザに対応する個人ルールと、を含み、
前記フィルタリング処理を実行するステップは、前記デフォルトルールにおいて前記閲覧要求された情報が閲覧不可である場合、複数の前記個人ルールの中から閲覧可能としている個人ルールが存在するか否かを確認することと、
前記フィルタリング処理を実行するステップは、前記閲覧可能としている個人ルールが存在する場合、前記端末装置に認証要求を行うことを含む、
ルータ装置のフィルタリング方法。
【請求項６】
端末装置と外部通信網とに接続され、当該端末装置から当該外部通信網上の情報に対する閲覧要求に対応して当該情報を前記端末装置に対して送信するルータ装置のフィルタリング方法であって、
異なる閲覧制限を課す複数のフィルタリングルール情報と、前記複数のフィルタリングルール情報の各々を適応可能とするためのユーザ識別子と、を相互に関連付けて記憶するステップと、
前記端末装置から閲覧要求を受けた場合に、前記端末装置から前記ユーザ識別子を取得し、前記ユーザ識別子により認証作業を行い、当該ユーザ識別子により適用可能と判定されたフィルタリングルールを特定し、前記特定されたフィルタリングルールに基づいて当該閲覧要求による情報の閲覧の可否を判定し、フィルタリング処理を実行するステップと、
を備え、
前記複数のフィルタリングルール情報は、前記端末装置を識別する端末識別子に対応するデフォルトルールと、前記端末装置を使用するユーザに対応する個人ルールと、を含み、
前記フィルタリング処理を実行するステップは、前記デフォルトルールにおいて前記閲覧要求された情報が閲覧不可である場合、複数の前記個人ルールの中から閲覧可能としている個人ルールが存在するか否かを確認することと、
前記フィルタリング処理を実行するステップは、前記閲覧可能としている個人ルールが存在する場合、前記端末装置に認証要求を行うことを含む、
ルータ装置のフィルタリング方法。
【発明の詳細な説明】
【技術分野】
【０００１】
本発明は、ルータ装置及びルータ装置のフィルタリング方法に関するものである。特に、ＵＲＬフィルタリングを行うルータ装置及びルータ装置のフィルタリング方法に関する。
【背景技術】
【０００２】
Ｗｅｂサイトへのアクセスのために、例えば、携帯電話機やスマートフォン、タブレット端末などの携帯端末、パーソナルコンピュータなどの情報通信端末が使用される。このような携帯端末や情報通信端末からＷｅｂサイトへのアクセスを制限する方法の一つにＵＲＬ(Uniform Resource Locator)フィルタリングという方法がある。ＵＲＬフィルタリング方法は、閲覧を許可するＵＲＬ又は閲覧を拒否するＵＲＬを列挙し、ＵＲＬのみでＷｅｂサイト閲覧可否を決定する方法である。例えば、ルータ装置にこのＵＲＬフィルタリングの機能を搭載することにより、ルータ装置に帰属する情報通信端末のＷｅｂサイトへのアクセスを制限することができる。
【０００３】
Ｗｅｂサイトへのアクセスを制限する方法は様々な方法がある。特許文献１では、アクセス先のＵＲＬのカテゴリが閲覧制限対象のカテゴリに属している場合には、クライアント側で閲覧制限対象と判定し、そのＵＲＬが示すＷｅｂサイトに対する閲覧を制限する方法が開示されている。しかし、特許文献１が開示する方法では、１台の情報通信端末を複数のユーザで共有する場合であってユーザ毎に異なる閲覧制限条件を適用させたい場合には、ユーザが変わる度に閲覧制限条件を設定し直す必要があり煩雑であるという課題がある。
【０００４】
特許文献２では、特許文献１の課題を解決するため、ルータ装置にＵＳＢ(Universal Serial Bus)メモリが接続されているか否かを判断し、ＵＳＢメモリが接続されている場合には、ＵＳＢメモリに格納されたフィルタリングルールを参照しＷｅｂサイトへのアクセス可否を判定し、ＵＳＢメモリが接続されていない場合には、ルータ装置内のメモリに格納されているデフォルトのフィルタリングルールを参照しＷｅｂサイトへのアクセス可否を判定する方法が開示されている。
【０００５】
しかし、特許文献２が開示する方法では、情報通信端末を使用しているユーザがＷｅｂサイト閲覧をする際に、ルータ装置へＵＳＢメモリを接続し、Ｗｅｂサイト閲覧を終了する際にＵＳＢメモリの取り外しを行う必要があり、ＵＳＢメモリの抜き差しの作業が面倒であるという課題がある。
【０００６】
特許文献３では、データベースファクトリが複数のゲートウェイシステムからのＵＲＬを受信し、識別子が類別されているか否かを判断してカテゴリをゲートウェイシステムに提供し、ゲートウェイシステムが、マスタデータベースまたはデータベースファクトリからＵＲＬに関連付けられたカテゴリを決定し、そのカテゴリとユーザとに関連付けられた規則を要求されたウェブサイト／ページへのアクセスのフィルタリングに適用する方法が開示されている。
【０００７】
特許文献４では、フィルタリング装置に装置種別情報管理部を、フィルタリングサーバに装置種別情報・フィルタリングリストデータベース部を備え、フィルタリング装置が装置種別情報をフィルタリングサーバに送付することにより、装置種別情報に基づいたフィルタリングパターンリストが配信されるフィルタリングシステムが開示されている。
【０００８】
特許文献５では、フィルタリング条件に、指定したコミュニティにおける他の子供に対するフィルタリング条件等に基づく、対象ウェブサイトのコミュニティ内での「評判」をポイントとして数値化した値に対する条件を含め、子供がネットワーク接続サーバを介してウェブサイトへアクセスする指示を入力した際、アクセス可否判定部が子供の識別情報とアクセス先のＵＲＬを取得し、条件データベースに格納されたフィルタリング条件を用いてアクセス可否を判定することが開示されている。
【先行技術文献】
【特許文献】
【０００９】
【特許文献１】特開２００５−１０７８３１号公報
【特許文献２】特開２０１２−２０８７３０号公報
【特許文献３】特開２００３−２３３６２３号公報
【特許文献４】特開２００６−１８６３５号公報
【特許文献５】特開２０１０−７３１６７号公報
【発明の概要】
【発明が解決しようとする課題】
【００１０】
上述の特許文献１乃至５のいずれにも、１台の情報通信端末を複数のユーザで共有する場合、ユーザ毎に異なるＵＲＬフィルタリングルールを容易に適用することが可能なルータ装置及びルータ装置のフィルタリング方法は開示されていない。
【００１１】
本発明は、このような課題を解決するためになされたものであり、１台の情報通信端末を複数のユーザで共有する場合、ユーザ毎に異なるＵＲＬフィルタリングルールを容易に適用することが可能なルータ装置及びルータ装置のフィルタリング方法を提供することを目的とする。
【課題を解決するための手段】
【００１２】
本発明に係るルータ装置は、
端末装置と外部通信網とに接続され、当該端末装置から当該外部通信網上の情報に対する閲覧要求に対応して当該情報を前記端末装置に対して送信するルータ装置であって、
前記端末装置を識別する端末識別子と、異なる閲覧制限を課す複数のフィルタリングルール情報と、前記複数のフィルタリングルール情報の各々を適応可能とするための認証情報と、を相互に関連付けて記憶するフィルタリング情報記憶部と、
前記端末装置から閲覧要求を受けた場合に、前記端末装置から前記端末識別子と認証情報とを取得し、前記認証情報により認証作業を行い、当該端末識別子と当該認証情報により適用可能と判定されたフィルタリングルールを特定し、前記特定されたフィルタリングルールに基づいて当該閲覧要求による情報の閲覧の可否を判定し、フィルタリング処理を実行するフィルタリング処理部と、
を備え、
前記複数のフィルタリングルール情報は、前記端末識別子に対応するデフォルトルールと、前記端末装置を使用するユーザに対応する個人ルールと、を含み、
前記フィルタリング処理部は、前記デフォルトルールにおいて前記閲覧要求された情報が閲覧不可である場合、複数の前記個人ルールの中から閲覧可能としている個人ルールが存在するか否かを確認し、
前記フィルタリング処理部は、前記閲覧可能としている個人ルールが存在する場合、前記端末装置に認証要求を行う。
【００１３】
本発明に係るルータ装置は、
端末装置と外部通信網とに接続され、当該端末装置から当該外部通信網上の情報に対する閲覧要求に対応して当該情報を前記端末装置に対して送信するルータ装置であって、
異なる閲覧制限を課す複数のフィルタリングルール情報と、前記複数のフィルタリングルール情報の各々を適応可能とするためのユーザ識別子と、を相互に関連付けて記憶するフィルタリング情報記憶部と、
前記端末装置から閲覧要求を受けた場合に、前記端末装置から前記ユーザ識別子を取得し、前記ユーザ識別子により認証作業を行い、当該ユーザ識別子により適用可能と判定されたフィルタリングルールを特定し、前記特定されたフィルタリングルールに基づいて当該閲覧要求による情報の閲覧の可否を判定し、フィルタリング処理を実行するフィルタリング処理部と、
を備え、
前記複数のフィルタリングルール情報は、前記端末装置を識別する端末識別子に対応するデフォルトルールと、前記端末装置を使用するユーザに対応する個人ルールと、を含み、
前記フィルタリング処理部は、前記デフォルトルールにおいて前記閲覧要求された情報が閲覧不可である場合、複数の前記個人ルールの中から閲覧可能としている個人ルールが存在するか否かを確認し、
前記フィルタリング処理部は、前記閲覧可能としている個人ルールが存在する場合、前記端末装置に認証要求を行う。
【００１４】
本発明に係るルータ装置のフィルタリング方法は、
端末装置と外部通信網とに接続され、当該端末装置から当該外部通信網上の情報に対する閲覧要求に対応して当該情報を前記端末装置に対して送信するルータ装置のフィルタリング方法であって、
前記端末装置を識別する端末識別子と、異なる閲覧制限を課す複数のフィルタリングルール情報と、前記複数のフィルタリングルール情報の各々を適応可能とするための認証情報と、を相互に関連付けて記憶するステップと、
前記端末装置から閲覧要求を受けた場合に、前記端末装置から前記端末識別子と認証情報とを取得し、前記認証情報により認証作業を行い、当該端末識別子と当該認証情報により適用可能と判定されたフィルタリングルールを特定し、前記特定されたフィルタリングルールに基づいて当該閲覧要求による情報の閲覧の可否を判定し、フィルタリング処理を実行するステップと、
を備え、
前記複数のフィルタリングルール情報は、前記端末識別子に対応するデフォルトルールと、前記端末装置を使用するユーザに対応する個人ルールと、を含み、
前記フィルタリング処理を実行するステップは、前記デフォルトルールにおいて前記閲覧要求された情報が閲覧不可である場合、複数の前記個人ルールの中から閲覧可能としている個人ルールが存在するか否かを確認することと、
前記フィルタリング処理を実行するステップは、前記閲覧可能としている個人ルールが存在する場合、前記端末装置に認証要求を行うことを含む。
【００１５】
本発明に係るルータ装置のフィルタリング方法は、
端末装置と外部通信網とに接続され、当該端末装置から当該外部通信網上の情報に対する閲覧要求に対応して当該情報を前記端末装置に対して送信するルータ装置のフィルタリング方法であって、
異なる閲覧制限を課す複数のフィルタリングルール情報と、前記複数のフィルタリングルール情報の各々を適応可能とするためのユーザ識別子と、を相互に関連付けて記憶するステップと、
前記端末装置から閲覧要求を受けた場合に、前記端末装置から前記ユーザ識別子を取得し、前記ユーザ識別子により認証作業を行い、当該ユーザ識別子により適用可能と判定されたフィルタリングルールを特定し、前記特定されたフィルタリングルールに基づいて当該閲覧要求による情報の閲覧の可否を判定し、フィルタリング処理を実行するステップと、
を備え、
前記複数のフィルタリングルール情報は、前記端末装置を識別する端末識別子に対応するデフォルトルールと、前記端末装置を使用するユーザに対応する個人ルールと、を含み、
前記フィルタリング処理を実行するステップは、前記デフォルトルールにおいて前記閲覧要求された情報が閲覧不可である場合、複数の前記個人ルールの中から閲覧可能としている個人ルールが存在するか否かを確認することと、
前記フィルタリング処理を実行するステップは、前記閲覧可能としている個人ルールが存在する場合、前記端末装置に認証要求を行うことを含む。
【発明の効果】
【００１６】
本発明によれば、１台の端末装置を複数のユーザで共有する場合、ユーザ毎に異なるＵＲＬフィルタリングルールを容易に適用することが可能なルータ装置及びルータ装置のフィルタリング方法を提供することができる。
【図面の簡単な説明】
【００１７】
【図１】実施の形態１にかかるルータ装置を例示するブロック図である。
【図２】実施の形態１にかかるＵＲＬフィルタリングルールの動作を例示するフローチャートである。
【図３】ＭＡＣアドレステーブルを例示する図である。
【図４】カテゴリデータベースを例示する図である。
【図５】実施の形態１にかかるＵＲＬフィルタリングルールの動作を例示するフローチャートである。
【図６】（Ａ）は、実施の形態１にかかる適用ルールを例示する図である。（Ｂ）は、実施の形態１にかかるフィルタリングルールテーブルを例示する図である。
【図７】端末装置のＷｅｂブラウザの認証画面を例示する図である。
【図８】パスワードテーブルを例示する図である。
【図９】実施の形態１にかかるＵＲＬフィルタリングルールの動作を例示するフローチャートである。
【図１０】（Ａ）は、デフォルトルールを例示する図である。（Ｂ）は、個人ルール１を例示する図である。（Ｃ）は、個人ルール２を例示する図である。
【図１１】実施の形態２にかかるルータ装置を例示するブロック図である。
【図１２】実施の形態２にかかるＵＲＬフィルタリングルールの動作を例示するフローチャートである。
【図１３】デフォルトルールテーブルを例示する図である。
【図１４】個人ルールテーブルを例示する図である。
【図１５】端末装置のＷｅｂブラウザの認証画面を例示する図である。
【図１６】ユーザＩＤ・パスワードテーブルを例示する図である。
【発明を実施するための形態】
【００１８】
［実施の形態１］
以下、図面を参照して本発明の実施の形態について説明する。
【００１９】
図１は、実施の形態１にかかるルータ装置を例示するブロック図である。  
図１に示すように、ルータ装置１１は、制御部１１１、ＬＡＮポート１１２、ＷＡＮポート１１３、ＭＡＣアドレス識別部１１４及びフィルタリング情報記憶部１１７を備える。フィルタリング情報記憶部１１７は、フィルタリング部１１５及び認証部１１６を含む。ＭＡＣアドレス識別部１１４は、ＭＡＣアドレステーブル１１４ａを含む。フィルタリング部１１５は、フィルタリングルールテーブル１１５ａ及び適用ルール１１５ｂを含む。認証部１１６は、パスワードテーブル１１６ａを含む。ルータ装置１１は、端末装置５１と、例えばインターネット通信網８１等の外部通信網とに接続され、端末装置５１から外部通信網上の情報に対する閲覧要求に対応して、この情報を端末装置５１に対して送信する。また、ルータ装置１１は、端末装置５１がルータ装置１１経由でＷｅｂサイト７１にアクセスする際に、端末装置５１を操作する複数のユーザのそれぞれに適用するＷｅｂサイトのフィルタリングルールを決定する。
【００２０】
制御部１１１は、ＬＡＮポート１１２、ＷＡＮポート１１３、ＭＡＣアドレス識別部１１４、フィルタリング部１１５及び認証部１１６のそれぞれと接続し、これら各部の制御を行う。すなわち、制御部１１１は、端末装置５１から閲覧要求を受けた場合に、端末装置５１からＭＡＣアドレスとパスワードとを取得するための制御を行う。また、制御部１１１は、取得したＭＡＣアドレスと取得したパスワードにより適用可能と判定されたフィルタリングルールを特定するために必要な制御を行う。また、制御部１１１は、特定されたフィルタリングルールに基づいて、端末装置５１の閲覧要求による情報の閲覧の可否を判定してフィルタリング処理を実行する。
【００２１】
ＬＡＮポート１１２は、ＬＡＮ(Local Area Network)に接続するためのインタフェースである。ルータ装置１１は、ＬＡＮを介して端末装置５１との間で通信を行う。端末装置５１には、Ｗｅｂブラウザ５１ａが搭載されている。ＷＡＮポート１１３は、外部通信網の１つであるインターネット通信網８１に接続するためのインタフェースである。ルータ装置１１は、インターネット通信網８１を介してカテゴリサーバ６１及びＷｅｂサイト７１との間で通信を行う。
【００２２】
ルータ装置１１のＭＡＣアドレス識別部１１４は、ＭＡＣアドレステーブル１１４ａが記憶される記憶領域を含む。ＭＡＣアドレステーブル１１４ａには、端末装置５１とＭＡＣアドレスとが、それぞれに対応付けられて登録される。この対応付けられたＭＡＣアドレスは、ユーザ自身が予めに登録したものである。
【００２３】
ＭＡＣアドレス識別部１１４は、端末装置５１からルータ装置１１にＷｅｂサイトアクセス要求があった場合、制御部１１１を介してＷｅｂサイトアクセス要求パケットを取得する。ＭＡＣアドレス識別部１１４は、Ｗｅｂサイトアクセス要求パケットに含まれる端末装置５１のＭＡＣアドレスを識別する。ＭＡＣアドレス識別部１１４は、Ｗｅｂサイトアクセス要求パケットに含まれる端末装置５１のＭＡＣアドレスがＭＡＣアドレステーブル１１４ａに登録されているか否かを確認する。そして、ＭＡＣアドレス識別部１１４は、確認の結果を制御部１１１に送信する。
【００２４】
フィルタリング情報記憶部１１７は、フィルタリング部１１５と認証部１１６とを含む。フィルタリング情報記憶部１１７には、端末装置５１を識別するＭＡＣアドレスと、異なる閲覧制限を課す複数のフィルタリングルールと、これら複数のフィルタリングルールの各々を適応可能とするための、例えばパスワードなどの認証情報と、を相互に関連付けて記憶する。フィルタリング部１１５は、フィルタリングルールテーブル１１５ａ及び適用ルール１１５ｂが記憶される記憶領域を含む。フィルタリングルールテーブル１１５ａは、端末装置５１のフィルタリングルールの情報を保持する。ＭＡＣアドレステーブル１１４ａに登録されているＭＡＣアドレス毎に、フィルタリングルールが対応付けられてフィルタリングルールテーブル１１５ａに登録されている。１つのＭＡＣアドレスに対して１つのデフォルトのフィルタリングルール（以降、デフォルトルールと呼称する）と、複数のユーザ分の個人用のフィルタリングルール（以降、個人ルールと呼称する）とが登録される。すなわち、フィルタリングルールテーブル１１５ａは、端末装置５１を識別するための、例えばＭＡＣアドレス等の端末識別子と、複数のユーザのそれぞれのためのフィルタリングルールである「個人ルール」と、が対応付けられて記憶される。また、フィルタリングルールテーブル１１５ａの複数の「個人ルール」のそれぞれには、Ｗｅｂサイト７１のカテゴリと、そのカテゴリの閲覧可否の情報と、が対応付けられて記憶される。
【００２５】
フィルタリングルールテーブル１１５ａに設定されるフィルタリングルールは、ユーザ自身が予め登録する。例えば、ユーザが端末装置５１とＭＡＣアドレスの対応関係を登録する際、そのＭＡＣアドレスに対して適用するデフォルトルールの設定を行う。デフォルトルールの設定を行う際、「個人ルール」も必要に応じて設定される。このようにして、ＭＡＣアドレステーブル１１４ａに登録されているＭＡＣアドレス毎に「デフォルトルール」、「個人ルール」が設定される。「個人ルール」は、例えば第１ユーザの個人ルールとして「個人ルール１」が、第２ユーザの個人ルールとして「個人ルール２」が設定される。
【００２６】
適用ルール１１５ｂは、ＭＡＣアドレステーブル１１４ａに登録されているＭＡＣアドレス毎に、現在適用されているフィルタリングルールの情報を保持する。適用ルール１１５ｂに保存される情報は、「未登録」、「デフォルトルール」、「個人ルール」の３種類である。「個人ルール」はさらに、例えば、第１ユーザ用の個人ルールとして「個人ルール１」が、第２ユーザ用の個人ルールとして「個人ルール２」が現在適用されているフィルタリングルールの情報として設定される。
【００２７】
適用ルール１１５ｂの保持している情報が、例えば「未登録」の場合、そのＭＡＣアドレスに対応する端末装置５１に対して現在適用されるフィルタリングルールが未決定の状態であることを示す。このため、適用するフィルタリングルールを決定する必要があるが、これについては後述する。また、適用ルール１１５ｂの保持している情報が「デフォルトルール」の場合、そのＭＡＣアドレスに対応する端末装置５１に対して適用されるフィルタリングルールは「デフォルトルール」であることを示す。
【００２８】
また、適用ルール１１５ｂの保持している情報が「個人ルール」の場合、そのＭＡＣアドレスに対応する端末装置５１に対して適用されるフィルタリングルールは「個人ルール」であることを示す。そして、「個人ルール」が示す情報は、１つの端末装置５１を複数のユーザが使用する場合、どのユーザの「個人ルール」なのかを示す情報を含んでいる。
【００２９】
フィルタリングルールテーブル１１５ａに設定されるフィルタリングルールは、１つのＭＡＣアドレスの端末装置５１に対して複数の「個人ルール」を登録することができる。適用ルール１１５ｂに登録されている「個人ルール」により、１つのＭＡＣアドレスに対して適用可能な１つ以上の個人ルールの中から、どのユーザの個人ルールが適用されているのかが分かる。
【００３０】
また、フィルタリング部１１５は、制御部１１１からアクセス要求のあったＷｅｂサイト７１のカテゴリの情報を取得し、フィルタリングルールテーブル１１５ａを参照し、Ｗｅｂサイト７１のカテゴリが閲覧可能か否かを確認し、確認の結果を制御部１１１に送信する。
【００３１】
認証部１１６は、パスワードテーブル１１６ａが記憶される記憶領域を含む。パスワードテーブル１１６ａには、ＭＡＣアドレス毎に登録されている個人ルールに対応するパスワードが登録される。パスワードの情報は、ユーザ自身が予め登録するものである。例えば、ユーザがＭＡＣアドレスに対して適用する「デフォルトルール」や「個人ルール」の設定を行う際、パスワードも登録する。すなわち、パスワードテーブル１１６ａは、ＭＡＣアドレスと、「個人ルール」と、ユーザを特定するためのパスワードと、が相互に対応付けられて記憶される。
【００３２】
認証部１１６は、ユーザが端末装置５１を操作して選択したフィルタリングルールとユーザが入力したパスワードとを、制御部１１１から取得する。認証部１１６は、パスワードテーブル１１６aを参照し、ユーザが端末装置５１を操作して入力した入力パスワードと、パスワードテーブル１１６ａに記憶されているパスワードとが一致しているかどうかを確認するパスワード認証を行う。すなわち、ユーザが端末装置５１を操作して入力した入力パスワードと、パスワードテーブル１１６ａにおいて端末装置５１のＭＡＣアドレスとユーザが端末装置５１を操作して選択した「個人ルール」とにより特定されるパスワードと、が一致しているかどうかのパスワード認証を行う。そして、この結果を制御部１１１に送信する。そして、パスワード認証が一致している場合、選択した個人ルールのカテゴリの閲覧可否の情報を、端末装置５１がアクセス要求した前記Ｗｅｂサイトのカテゴリのフィルタリングルールに適用する。
【００３３】
例えば、フィルタリング部１１５の適用ルール１１５ｂが保持している情報が現在「未登録」であり、これから「個人ルール」のフィルタリングルールを適用する場合には、ユーザのパスワード認証が必要とされる。
【００３４】
なお、適用ルール１１５ｂが保持している情報が現在「デフォルトルール」又は「個人ルール」の場合、適用ルール１１５ｂに保存されているフィルタリングルールが既に適用されている。このため、ユーザのパスワード認証は必要ない。
【００３５】
カテゴリサーバ６１は、ＵＲＬとそのＵＲＬにより特定されるＷｅｂサイト７１のカテゴリとが対応付けられて記憶されるカテゴリデータベース６１ａを備える。
【００３６】
カテゴリサーバ６１は、ルータ装置１１からＷｅｂサイト７１のカテゴリの問い合わせがある場合、カテゴリデータベース６１ａを参照し、指定ＵＲＬがどのカテゴリに該当するかを確認し、ルータ装置１１に指定ＵＲＬのカテゴリの情報を送信する。
【００３７】
次に、実施の形態１のＵＲＬフィルタリングの動作について説明する。  
実施の形態１においては、ルータ装置１１に帰属している端末装置５１に対してＵＲＬフィルタリングによるＷｅｂサイトアクセスの制限をさせる為に、ユーザが端末装置５１のＭＡＣアドレスとそのＭＡＣアドレスに適用するフィルタリングルールを登録する。そして、端末装置５１がＷｅｂサイトアクセスする際に、ルータ装置１１はＭＡＣアドレステーブル１１４ａに端末装置５１のＭＡＣアドレスが登録されているかを確認する。そして、端末装置５１のＭＡＣアドレスが登録されていれば、そのＭＡＣアドレスにフィルタリングルールを適用する仕組みとなっている。
【００３８】
図２は、実施の形態１にかかるＵＲＬフィルタリングの動作を例示するフローチャートである。
【００３９】
図２に示すように、端末装置５１に搭載されているＷｅｂブラウザ５１ａにおいて、Ｗｅｂサイト７１へのアクセス要求が発生した場合（Ｓ２０１：Ｙｅｓ）、端末装置５１は、Ｗｅｂサイト７１のＵＲＬ情報を含むＷｅｂサイトアクセス要求パケットをルータ装置１１に送信する。
【００４０】
ルータ装置１１の制御部１１１は、ＬＡＮポート１１２を介してＷｅｂサイトアクセス要求パケットを端末装置５１から取得する。制御部１１１は、Ｗｅｂサイトアクセス要求パケットを取得すると、ＭＡＣアドレス識別部１１４にＷｅｂサイトアクセス要求パケットを渡し、ＭＡＣアドレスの識別の要求とそのＭＡＣアドレスがＭＡＣアドレステーブル１１４ａに登録されているか否かの問い合わせを行う。
【００４１】
図３は、ＭＡＣアドレステーブルを例示する図である。  
図３に示すように、ＭＡＣアドレステーブル１１４ａには、端末装置５１とＭＡＣアドレスの対応関係が登録されている。なお、これらの対応関係の情報は、例えばユーザがＷｅｂＧＵＩ(Web Graphical User Interface)を操作することにより、ルータ装置１１のＭＡＣアドレステーブル１１４ａに予め登録される。
【００４２】
ＭＡＣアドレス識別部１１４は、Ｗｅｂサイトアクセス要求パケットを制御部１１１から取得する。そして、ＭＡＣアドレス識別部１１４は、Ｗｅｂサイトアクセス要求パケットの送信元ＭＡＣアドレス、すなわち端末装置５１のＭＡＣアドレスを識別する（Ｓ２０２）。ＭＡＣアドレス識別部１１４は、識別したＭＡＣアドレスがＭＡＣアドレステーブル１１４ａに登録されているか否かを確認する（Ｓ２０３）。そして、ＭＡＣアドレス識別部１１４は、確認の結果とＭＡＣアドレスとを制御部１１１へ送信する。
【００４３】
制御部１１１は、ＭＡＣアドレス識別部１１４から確認の結果とＭＡＣアドレスとを取得する。そして、Ｗｅｂサイトアクセス要求を出した端末装置５１のＭＡＣアドレスがＭＡＣアドレステーブル１１４ａに登録されている場合（Ｓ２０３：Ｙｅｓ）、制御部１１１は、ＷＡＮポート１１３とインターネット通信網８１を介してカテゴリサーバ６１に、カテゴリを要求するための問い合わせを行う（Ｓ２０４）。制御部１１１は、アクセス要求のあったＷｅｂサイトのＵＲＬを送信しカテゴリを問い合わる。
【００４４】
また、制御部１１１は、Ｗｅｂサイトアクセス要求を出した端末装置５１のＭＡＣアドレスがＭＡＣアドレステーブル１１４ａに登録されていない場合（Ｓ２０３：Ｎｏ）、ＬＡＮポート１１２を介して端末装置５１に、アクセス要求のあったＷｅｂサイトが閲覧不可であることを通知する（Ｓ２０７）。
【００４５】
なお、この例では、ルータ装置１１に帰属する端末装置であって、その端末装置に対応するＭＡＣアドレスがＭＡＣアドレステーブル１１４ａに登録されていない場合、その端末装置が要求するＷｅｂサイトの閲覧は不可としたが、全てのＷｅｂサイトの閲覧を可能としてもよい。
【００４６】
カテゴリサーバ６１は、ルータ装置１１の制御部１１１から、アクセス要求のあったＷｅｂサイト７１のＵＲＬの情報を取得する。
【００４７】
図４は、カテゴリデータベースを例示する図である。  
図４に示すように、カテゴリサーバ６１のカテゴリデータベース６１ａには、ＵＲＬとそのＵＲＬにより特定されるＷｅｂサイトのカテゴリとの対応関係が記憶されている。
【００４８】
カテゴリサーバ６１は、このカテゴリデータベース６１ａを参照し、ＷｅｂサイトのＵＲＬがどのカテゴリに該当するかを確認する。すなわち、カテゴリサーバ６１は、端末装置５１がアクセス要求するＷｅｂサイトのカテゴリを、Ｗｅｂサイト７１とＷｅｂサイト７１のカテゴリとが対応付けられて記憶されたカテゴリデータベース６１ａを参照し、Ｗｅｂサイト７１のＵＲＬがどのカテゴリに該当するかを確認する。そして、カテゴリサーバ６１は、ＷｅｂサイトのＵＲＬに対応するカテゴリを、インターネット通信網８１を介してルータ装置１１に送信する。
【００４９】
具体的には、カテゴリサーバ６１は、ルータ装置１１から、例えば、図４に示すような「ｈｔｔｐ：／／ＡＡＡ」というＵＲＬのＷｅｂサイトのカテゴリの問い合わせがあった場合、カテゴリデータベース６１ａを参照し、「ｈｔｔｐ：／／ＡＡＡ」はカテゴリが「スポーツ」であると確認する。そして、カテゴリサーバ６１は、「ｈｔｔｐ：／／ＡＡＡ」はガテゴリが「スポーツ」である旨の通知をルータ装置１１に返答する。
【００５０】
ルータ装置１１の制御部１１１は、カテゴリサーバ６１から応答があり、ＷｅｂサイトのＵＲＬに対応するカテゴリを取得した場合（Ｓ２０５：Ｙｅｓ）、この取得したカテゴリを「受信カテゴリ」として記憶する（Ｓ２０６）。
【００５１】
図５は、実施の形態１にかかるＵＲＬフィルタリングルールの動作を例示するフローチャートである。
【００５２】
ルータ装置１１の制御部１１１は、カテゴリサーバ６１から、ＷｅｂサイトのＵＲＬに対応するカテゴリを取得する（Ｓ２０５：Ｙｅｓ）、そして、図５に示すように、制御部１１１は、フィルタリング部１１５に端末装置５１のＭＡＣアドレスを渡し、端末装置５１に対して現在適用されているフィルタリングルールを問い合わせる。
【００５３】
フィルタリング部１１５は、制御部１１１から、端末装置５１のＭＡＣアドレスを取得すると共に、端末装置５１に対して現在適用されているフィルタリングルールの問い合わせを受ける。そして、フィルタリング部１１５は、適用ルール１１５ｂを参照し、端末装置５１に対して現在適用されているフィルタリングルールを確認する（Ｓ５０１）。
【００５４】
ここで、適用ルール１１５ｂについて説明する。  
図６（Ａ）は、実施の形態１にかかる適用ルールを例示する図である。  
図６（Ａ）に示すように、適用ルール１１５ｂには、ＭＡＣアドレスと、そのＭＡＣアドレスに対応する端末装置５１に対して現在適用されているフィルタリングルールとが登録されている。
【００５５】
続いて、ＵＲＬフィルタリングの動作をさらに説明する。  
適用ルール１１５ｂに保存されているフィルタリングルールが「未登録」でない場合（Ｓ５０１：Ｎｏ）、適用ルール１１５ｂには「デフォルトルール」又は「個人ルール」と保存されている。従って、フィルタリング部１１５は、端末装置５１のＭＡＣアドレスに対して適用されているフィルタリングルールが「デフォルトルール」又は「個人ルール」であることを制御部１１１に通知する。制御部１１１は、この通知を取得すると、後述するＳ９０１のＷｅｂサイト閲覧可否判別の処理へ移行する。
【００５６】
適用ルール１１５ｂに保存されているフィルタリングルールが「未登録」である場合（Ｓ５０１：Ｙｅｓ）、フィルタリング部１１５は、フィルタリングルールテーブル１１５ａを参照し、端末装置５１のＭＡＣアドレスに対して登録されているフィルタリングルールを確認する。そして、フィルタリング部１１５は、フィルタリングルールテーブル１１５ａの中に「個人ルール」が登録されているかを確認する（Ｓ５０２）。
【００５７】
また、適用ルール１１５ｂに保存されているフィルタリングルールが「未登録」である場合（Ｓ５０１：Ｙｅｓ）、フィルタリング部１１５は、制御部１１１に適用ルール１１５ｂに保存されているフィルタリングルールが「未登録」であることを通知する。
【００５８】
制御部１１１は、フィルタリング部１１５から適用ルール１１５ｂに保存されているフィルタリングルールが「未登録」である旨の通知を取得すると、端末装置５１の「ＭＡＣアドレス」とカテゴリサーバ６１から取得した「受信カテゴリ」の情報をフィルタリング部１１５に送信する。
【００５９】
ここで、フィルタリングルールテーブル１１５ａについて説明する。  
図６（Ｂ）は、実施の形態１にかかるフィルタリングルールテーブルを例示する図である。
【００６０】
図６（Ｂ）に示すように、フィルタリングルールテーブル１１５ａは、ＭＡＣアドレスとそのＭＡＣアドレスに対して適用可能なフィルタリングルールが登録されている。ＭＡＣアドレスとそのＭＡＣアドレスに対して適用可能なフィルタリングルールとの情報は、ＷｅｂＧＵＩを使ってユーザ自身が事前に登録する。例えば、ユーザが、端末装置５１とそのＭＡＣアドレスとの対応関係の登録を行う際、そのＭＡＣアドレスに対して適用するフィルタリングルールの設定も伴わせて行う。フィルタリングルールテーブル１１５ａには、ＭＡＣアドレス毎に「デフォルトルール」が登録されており、「個人ルール」は必要に応じて登録される。
【００６１】
フィルタリングルールテーブル１１５ａのそれぞれのフィルタリングルールには、各カテゴリのＷｅｂサイトの閲覧可否の情報が設定されている。例えば、図６に示すＭＡＣアドレスが「１０：１１：１２：１３：１４：１５」である端末装置に適用可能なフィルタリングルールは、「デフォルトルール」、「個人ルール１」、「個人ルール２」の３つである。そして、「デフォルトルール」には、カテゴリが「スポーツ」は閲覧可、カテゴリが「ゲーム」は閲覧可、カテゴリが「暴力」は閲覧不可、カテゴリが「出会い」は閲覧不可、カテゴリが「アダルト」は閲覧不可と設定されている。
【００６２】
続いて、ＵＲＬフィルタリングの動作をさらに説明する。  
フィルタリングルールテーブル１１５ａにおいて、端末装置５１のＭＡＣアドレスに対するフィルタリングルールとして「個人ルール」が登録されていない場合（Ｓ５０２：Ｎｏ）、端末装置５１のＭＡＣアドレスに対するフィルタリングルールとして「デフォルトルール」しか登録されていない為、この「デフォルトルール」を適用する。
【００６３】
すなわち、フィルタリング部１１５は、適用ルール１１５ｂに端末装置５１のＭＡＣアドレスに適用するフィルタリングルールを「デフォルトルール」として保存する（Ｓ５１０）。フィルタリング部１１５は、適用ルール１１５ｂに保存されているフィルタリングルールが「デフォルトルール」であることを制御部１１１に通知する。制御部１１１は、この通知を取得すると、後述するＳ９０１のＷｅｂサイト閲覧可否判別の処理へ移行する。
【００６４】
フィルタリングルールテーブル１１５ａにおいて、端末装置５１のＭＡＣアドレスに対するフィルタリングルールとして「個人ルール」が登録されている場合、（Ｓ５０２：Ｙｅｓ）、制御部１１１は、端末装置５１のＭＡＣアドレスとカテゴリサーバ６１から取得した受信カテゴリの情報とをフィルタリング部１１５に送信する。端末装置５１のＭＡＣアドレスに対するフィルタリングルールとしては、複数の「個人ルール」と、「デフォルトルール」と、が登録されている。
【００６５】
フィルタリング部１１５は、端末装置５１のＭＡＣアドレスと受信カテゴリの情報を、制御部１１１から取得すると、フィルタリングルールテーブル１１５ａを参照し、端末装置５１のＭＡＣアドレスに対して登録されている「デフォルトルール」において受信カテゴリのＷｅｂサイトが閲覧可能か否かを確認する（Ｓ５０３）。
【００６６】
端末装置５１のＭＡＣアドレスに対して登録されている「デフォルトルール」において受信カテゴリのＷｅｂサイトが閲覧可能である場合（Ｓ５０３：Ｙｅｓ）、フィルタリング部１１５は、端末装置５１は受信カテゴリのＷｅｂサイトが閲覧可能である旨の通知を制御部１１１に送信する。
【００６７】
制御部１１１は、インターネット通信網８１を介してＷｅｂサイト７１からＷｅｂサイト７１の情報を取得する。制御部１１１は、Ｗｅｂサイト７１の情報をＬＡＮポート１１２を介して端末装置５１に送信する。
【００６８】
端末装置５１は、ルータ装置１１からＷｅｂサイト７１の情報を取得すると、端末装置５１のＷｅｂブラウザ５１ａにＷｅｂサイト７１の画面を表示する（Ｓ５１１）。この場合、「デフォルトルール」でＷｅｂサイト７１が閲覧可能なため、「個人ルール」の切り替えを行うか否かの判断をする必要はない。従って、フィルタリング部１１５の適用ルール１１５ｂの保存状態は「未登録」のままとする。
【００６９】
端末装置５１のＭＡＣアドレスに対して登録されている「デフォルトルール」において受信カテゴリのＷｅｂサイトが閲覧不可である場合（Ｓ５０３：Ｎｏ）、フィルタリング部１１５は、端末装置５１のＭＡＣアドレスに対して登録されている全ての「個人ルール」を確認する。そして、フィルタリング部１１５は、全ての「個人ルール」の中から受信カテゴリを閲覧可能としている個人ルールは存在するか否かを確認する（Ｓ５０４）。
【００７０】
端末装置５１のＭＡＣアドレスに対して登録されている全ての「個人ルール」の中から受信カテゴリのＷｅｂサイトを閲覧可能としている個人ルールが存在する場合（Ｓ５０４：Ｙｅｓ）、フィルタリング部１１５は、端末装置５１のＭＡＣアドレスに対して登録されているフィルタリングルールの一覧の情報を制御部１１１に送信し、認証を要求する。端末装置５１のＭＡＣアドレスに対して適用可能な全ての「個人ルール」においてＷｅｂサイト７１が閲覧可能であったとしても、「デフォルトルール」では閲覧不可としている為、認証要求を行う。
【００７１】
端末装置５１のＭＡＣアドレスに対して登録されている全ての「個人ルール」の中から受信カテゴリのＷｅｂサイトを閲覧可能としているフィルタリングルールが存在しない場合（Ｓ５０４：Ｎｏ）、フィルタリング部１１５は、端末装置５１がＷｅｂサイト７１を閲覧できない旨の通知を制御部１１１に送信する。制御部１１１は、ＬＡＮポート１１２を介して端末装置５１にＷｅｂサイト７１は閲覧できない旨を通知する（Ｓ５１３）。
【００７２】
「デフォルトルール」において受信カテゴリのＷｅｂサイト７１が閲覧可能である場合（Ｓ５０３：Ｙｅｓ）、又は端末装置５１のＭＡＣアドレスに対して適用可能な全ての「個人ルール」においてＷｅｂサイト７１が閲覧不可である場合（Ｓ５０４：Ｎｏ）には認証作業を行わない。これにより、改めて認証作業をする必要がなくなるのでユーザの便利性を向上させることができる。
【００７３】
制御部１１１は、フィルタリング部１１５から認証の要求を取得すると、ＬＡＮポート１１２を介して端末装置５１のＷｅｂブラウザ５１ａで、閲覧可能な認証画面のデータを送信し、端末装置５１を操作するユーザに対して認証要求を行う（Ｓ５０５）。
【００７４】
ここで、端末装置５１のＷｅｂブラウザ５１ａで表示する認証画面について説明をする。  
図７は、端末装置のＷｅｂブラウザの認証画面を例示する図である。
【００７５】
図７に示すように、認証画面７０１は、端末装置５１に対して適用可能なフィルタリングルールをフィルタリングルールの一覧から選択できるフォーム７０２と、パスワード入力フォーム７０３と、フォーム上の入力項目の値を確定する確定ボタン７０４と、を備えている。
【００７６】
端末装置５１を操作するユーザが選択したフィルタリングルールが「デフォルトルール」の場合、パスワードの入力は不要である。このため、パスワード入力フォーム７０３にはパスワードを入力することができない。
【００７７】
また、端末装置５１を操作するユーザが選択したフィルタリングルールが「個人ルール」の場合、パスワードの入力が必要であるため、ユーザにパスワードの入力を促す。
【００７８】
端末装置５１を操作しているユーザが選択したフィルタリングルールが「デフォルトルール」の場合、確定ボタン７０４がユーザによって押下されると、端末装置５１は、ルータ装置１１に「デフォルトルール」が選択されたことを通知する。
【００７９】
端末装置５１を操作しているユーザが選択したフィルタリングルールが「個人ルール」の場合、ユーザが確定ボタン７０４を押下すると、端末装置５１は、ルータ装置１１に「個人ルール」が選択された旨とパスワード入力フォーム７０３に入力されたパスワード（以降、入力パスワードと呼称する）を送信する。これにより、端末装置５１のＷｅｂブラウザ５１ａにおいて認証作業が可能となる。このため、端末装置５１に、認証作業をするための専用ソフトウェアをインストールする必要はない。
【００８０】
制御部１１１は、ユーザに対する認証要求に対する応答であって、ＬＡＮポート１１２を介して端末装置５１から来る応答を確認する（Ｓ５０６）。そして、制御部１１１は、端末装置５１からの応答があった場合（Ｓ５０６：Ｙｅｓ）、端末装置５１で選択されたフィルタリングルールが「個人ルール」であるかどうかを判別する（Ｓ５０７）。
【００８１】
制御部１１１は、端末装置５１で選択されたフィルタリングルールが「個人ルール」である場合（Ｓ５０７：Ｙｅｓ）、端末装置５１のＭＡＣアドレスと、選択された「個人ルール」と、入力された「入力パスワード」と、を認証部１１６に送信する。
【００８２】
ここで、パスワードテーブル１１６ａについて説明する。  
図８は、パスワードテーブルを例示する図である。
【００８３】
図８に示すように、パスワードテーブル１１６ａは、ＭＡＣアドレスとそのＭＡＣアドレスに対して適用可能な「個人ルール」とそのＭＡＣアドレスに対応する「パスワード」が登録されている。これらの情報は、ＷｅｂＧＵＩを使ってユーザ自身が事前に登録する。例えば、ユーザが個人ルールを登録する際に、パスワードの登録も伴わせて行う。パスワードテーブル１１６ａに登録されているフィルタリングルールは「個人ルール」である。なお、「デフォルトルール」は、パスワード入力を必要としないのでパスワードテーブル１１６ａには登録されない。
【００８４】
認証部１１６は、端末装置５１のＭＡＣアドレスと、選択された「個人ルール」と、ユーザにより入力された「入力パスワード」と、を制御部１１１から取得する。そして、認証部１１６は、「入力パスワード」の文字列と、パスワードテーブル１１６ａにおけるＭＡＣアドレスに対応する「パスワード」の文字列とが一致するかどうか比較する。そして、認証部１１６は、この認証が成功したかどうかを確認する（Ｓ５０８）。そして、認証部１１６は、その認証結果を制御部１１１に送信する。
【００８５】
制御部１１１は、認証部１１６から認証結果を取得する。そして、制御部１１１は、認証に成功した場合（Ｓ５０８：Ｙｅｓ）、フィルタリング部１１５に端末装置５１のＭＡＣアドレスに対して適用するフィルタリングルールを「個人ルール」とする旨を通知する。
【００８６】
フィルタリング部１１５は、適用ルール１１５ｂに端末装置５１のＭＡＣアドレスに適用するフィルタリングルールを「個人ルール」として保存する（Ｓ５０９）。そして、フィルタリング部１１５は、その旨を制御部１１１に通知する。制御部１１１は、その旨の通知をフィルタリング部１１５から取得すると、後述するＳ９０１のＷｅｂサイト閲覧可否判別の処理へ移行する。
【００８７】
制御部１１１は、ＬＡＮポート１１２を介して端末装置５１からの応答を確認する（Ｓ５０６）。そして、制御部は、端末装置５１で選択されたフィルタリングルールが「デフォルトルール」である場合（Ｓ５０７：Ｎｏ）、端末装置５１のＭＡＣアドレスに対して適用するフィルタリングルールを「デフォルトルール」とする旨をフィルタリング部１１５に通知する。
【００８８】
また、制御部１１１は、前述のＳ５０８において認証が失敗し、認証部１１６からその認証結果を取得した場合（Ｓ５０８：Ｎｏ）においても、端末装置５１のＭＡＣアドレスに対して適用するフィルタリングルールを「デフォルトルール」とする旨をフィルタリング部１１５に通知する。
【００８９】
フィルタリング部１１５は、端末装置５１のＭＡＣアドレスに対して適用するフィルタリングルールを「デフォルトルール」とする旨の通知を制御部１１１から取得すると、端末装置５１のＭＡＣアドレスに適用するフィルタリングルールを「デフォルトルール」として適用ルール１１５ｂに保存する（Ｓ５１２）。そして、フィルタリング部１１５は、端末装置５１は受信カテゴリのＷｅｂサイト７１を閲覧できない旨の通知を制御部１１１に送信する。
【００９０】
制御部１１１は、Ｗｅｂサイト７１は閲覧不可であることを、ＬＡＮポート１１２を介して端末装置５１に通知する（Ｓ５１３）。
【００９１】
適用ルール１１５ｂにフィルタリングルールが「デフォルトルール」又は「個人ルール」として保存されると、そのフィルタリングルールが一定時間（以降、タイムアウト時間と呼称する）の間、適用される。このタイムアウト時間以内であれば、適用ルール１１５ｂに保存されているフィルタリングルールによりＷｅｂサイト７１のカテゴリの閲覧可否判別を行う。このため、タイムアウト時間以内であれば、ユーザがＷｅｂサイトアクセスする度に認証作業を行わなくてもよい。すなわち、現在適用されているフィルタリングルールは、一定時間の間、ＭＡＣアドレスにより識別される端末装置５１がアクセス要求するＷｅｂサイト７１のカテゴリに適用され、この一定時間以内は、端末装置５１に対する認証は行わない。
【００９２】
なお、タイムアウト時間以内に、端末装置５１からＷｅｂサイトアクセス要求が無い場合、適用ルール１１５ｂに保存されているフィルタリングルールから「未登録」の状態に自動的にリセットされてもよい。
【００９３】
また、適用ルール１１５ｂに保存されているフィルタリングルールから「未登録」の状態に自動的にリセットされる条件としては、端末装置５１の一部分又は全ての電源供給が制限された状態となったことを契機にしてもよい。
【００９４】
また、適用ルール１１５ｂに保存されているフィルタリングルールが「未登録」の状態にリセットされた後、再度、ユーザがＷｅｂサイトアクセス要求を行った場合には、端末装置５１に対してどのフィルタリングルールを適用するかの判別が行われる。
【００９５】
また、適用ルール１１５ｂに保存されているフィルタリングルールが「デフォルトルール」又は「個人ルール」の場合において、ユーザがフィルタリングルールを切り替える場合、ユーザがＷｅｂＧＵＩにアクセスし、ＷｅｂＧＵＩ内でフィルタリングルールを切り替えてもよい。この場合において、フィルタリングルールを「個人ルール」に切り替える場合、再度パスワードによる認証が必要となる。例えば、端末装置５１に他の入力パスワードが入力され端末装置５１から他の閲覧要求を受けた場合に、ルータ装置１１は端末装置５１からＭＡＣアドレスと他の入力パスワードとを取得する。そして、ルータ装置１１は、端末装置５１から取得したＭＡＣアドレスと他の入力パスワードにより適用可能と判定された他のフィルタリングルールを特定する。そして、ルータ装置１１はフィルタリングルールを他のフィルタリングルールに切り替える。また、例えば、ユーザが端末装置５１を操作して他の入力パスワードを入力すると共に「他の個人ルール」を選択する。そして、他の入力パスワードと、パスワードテーブル１１６ａにおいて端末装置５１のＭＡＣアドレスと「他の個人ルール」とにより特定されるパスワードと、が一致している場合、端末装置５１がアクセス要求するＷｅｂサイトのカテゴリに適用するフィルタリングルールを、他の個人ルールに対応するカテゴリの閲覧可否の情報に切り替えてもよい。
【００９６】
次に、実施の形態１にかかるＷｅｂサイト閲覧可否判別の処理を説明する。  
図９は、実施の形態１にかかるＵＲＬフィルタリングルールの動作を例示するフローチャートである。
【００９７】
制御部１１１は、端末装置５１のＭＡＣアドレスと受信カテゴリをフィルタリング部１１５に送信する。そして、制御部１１１は、適用ルール１１５ｂに保存されているフィルタリングルールにおいて受信カテゴリのＷｅｂサイトが閲覧可能か否かをフィルタリング部１１５に問い合わせる。
【００９８】
フィルタリング部１１５は、適用ルール１１５ｂを参照し、端末装置５１のＭＡＣアドレスに対して適用されているフィルタリングルールを取得する。そして、フィルタリング部１１５は、フィルタリングルールテーブル１１５ａを参照し、端末装置５１のＭＡＣアドレスに適用されているフィルタリングルールにおいて、受信カテゴリのＷｅｂサイトが閲覧可能か否かを確認する（Ｓ９０１）。
【００９９】
受信カテゴリのＷｅｂサイトが閲覧可能である場合（Ｓ９０１：Ｙｅｓ）、フィルタリング部１１５は、端末装置５１は受信カテゴリのＷｅｂサイトの閲覧が可能である旨を制御部１１１に通知する。
【０１００】
制御部１１１は、インターネット通信網８１を介してＷｅｂサイト７１からデータを取得する。そして、制御部１１１は、ＬＡＮポート１１２を介して端末装置５１にＷｅｂサイト７１から取得したデータを送信する。
【０１０１】
端末装置５１は、Ｗｅｂサイト７１のデータをルータ装置１１から取得する。そして、端末装置５１は、Ｗｅｂブラウザ５１ａにＷｅｂサイト７１の画面を表示する（Ｓ９０２）。
【０１０２】
受信カテゴリのＷｅｂサイトが閲覧不可である場合（Ｓ９０１：Ｎｏ）、フィルタリング部１１５は、制御部１１１に端末装置５１は受信カテゴリのＷｅｂサイトの閲覧が不可である旨を通知する。制御部１１１は、ＬＡＮポート１１２を介して端末装置５１にＷｅｂサイト７１は閲覧不可であることを通知する（Ｓ９０３）。
【０１０３】
次に、ユーザが新規に「個人ルール」を追加して登録する場合について説明する。  
図１０（Ａ）は、デフォルトルールを例示する図である。  
図１０（Ｂ）は、個人ルール１を例示する図である。  
図１０（Ｃ）は、個人ルール２を例示する図である。  
【０１０４】
端末装置５１に対して適用可能なフィルタリングルールに「個人ルール」を新規に追加した場合、端末装置５１に対して適用可能な「デフォルトルール」は全てのユーザが安心且つ安全にＷｅｂサイト７１の閲覧ができることが必要である。
【０１０５】
図１０（Ａ）に示すように、フィルタリングルールとして登録されている「デフォルトルール」の設定は、暴力、出会い等のカテゴリのＷｅｂサイトが閲覧可能となっている。この状態から、図１０（Ｃ）に示すような、子供用の「個人ルール２」をフィルタリングルールとして新規に登録する場合を考える。「個人ルール２」は、子供用なので、暴力、出会い等のカテゴリのＷｅｂサイトが閲覧不可と設定されている。このような場合、適用ルールとして「デフォルトルール」が適用された場合には、暴力、出会い等のカテゴリのＷｅｂサイトが閲覧可能となる。
【０１０６】
これを防ぐため、「個人ルール」で閲覧不可としたカテゴリは、自動的に「デフォルトルール」でも閲覧不可のカテゴリとして設定する。この設定は、ユーザが「個人ルール」を新規に登録する際に行われてもよい。
【０１０７】
例えば、「個人ルール２」が新規に登録された際、「個人ルール２」で閲覧不可となっているカテゴリである暴力、出会い、アダルトの内、「デフォルトルール」で閲覧可能となっているカテゴリである暴力、出会いは、自動的に閲覧不可に設定されてもよい。これにより、「個人ルール」で閲覧不可と設定されているカテゴリが「デフォルトルール」でも閲覧不可に設定される。
【０１０８】
このようにして、ルータ装置に個人ルールを新規に追加する際、個人ルールで閲覧不可と設定したカテゴリを自動的にその端末装置に適用可能なデフォルトルールでも閲覧不可に設定する。これにより、全ユーザが安心且つ安全にＷｅｂサイトの閲覧ができる。
【０１０９】
実施の形態１においては、ルータ装置と通信を行う１台の端末装置に対して複数のフィルタリングルールを予め登録し、さらに、端末装置をユーザが使用する際にユーザのパスワード認証を行っている。これにより、ユーザ毎に異なるＵＲＬフィルタリングルールを容易に適用することが可能となる。
【０１１０】
また、１台の端末装置に適用するフィルタリングルールを、別のフィルタリングルールに切り替える際、例えばＵＳＢメモリ等の補助記憶装置を用いず、パスワード認証によりフィルタリングルールを切り替えている。これにより、フィルタリングルールの切り替えが容易になり手間がかからない。
【０１１１】
また、ＵＳＢメモリ等の補助記憶装置が必要ないので、ＵＳＢメモリ等の補助記憶装置を用いる場合に比べてコストが低い。
【０１１２】
また、「個人ルール」で閲覧不可としたカテゴリを自動的に「デフォルトルール」でも閲覧不可として設定する。これにより、全ユーザが安心且つ安全にＷｅｂサイトを閲覧できる。
【０１１３】
このように、実施の形態１によれば、１台の情報通信端末を複数のユーザで共有する場合、ユーザ毎に異なるＵＲＬフィルタリングルールを容易に適用することが可能なルータ装置及びルータ装置のフィルタリング方法を提供することができる。
【０１１４】
［実施の形態２］  
次に、実施の形態２について説明する。
【０１１５】
実施の形態１においては、ルータ装置１１にＭＡＣアドレス毎に個人ルールが登録され、端末装置５１からＷｅｂサイトアクセスがあった場合、ルータ装置１１は端末装置５１のＭＡＣアドレスに対して個人ルールが登録されているかを確認し、個人ルールが登録されていれば、認証処理を経て端末装置５１に対してその個人ルールを適用する形態であった。
【０１１６】
実施の形態２においては、ルータ装置１１のフィルタリングルールテーブル１１５ａに登録する「個人ルール」は、ルータ装置１１のＭＡＣアドレステーブル１１４ａに登録されている全てのＭＡＣアドレスに対して共通に適用可能な「個人ルール」である。すなわち、ルータ装置１１のフィルタリングルールテーブル１１５ａに登録する「個人ルール」は、特定のＭＡＣアドレスに対して適用する個人ルールではない。
【０１１７】
図１１は、実施の形態２にかかるルータ装置を例示するブロック図である。
図１１に示すように、実施の形態２にかかるルータ装置２１は、図１に示すルータ装置１１に比べて、フィルタリングルールテーブル１１５ａをデフォルトルールテーブル２１５ａ１及び個人ルールテーブル２１５ａ２に、パスワードテーブル１１６ａをユーザＩＤ・パスワードテーブル２１６ａに変更したものである。
【０１１８】
デフォルトルールテーブル２１５ａ１は、ＭＡＣアドレステーブル１１４ａに登録されているＭＡＣアドレス毎にデフォルトルールが登録されている。デフォルトルールテーブル２１５ａ１に登録されているデフォルトルールは、ユーザ自身が事前に登録するものである。例えば、ユーザがＭＡＣアドレスの登録を行う際に、そのＭＡＣアドレスに対して適用するデフォルトルールの設定を行う。
【０１１９】
個人ルールテーブル２１５ａ２は、ＭＡＣアドレステーブル１１４ａに登録されている全てのＭＡＣアドレスに対して適用可能な個人用のフィルタリングルールが登録されている。個人ルールテーブル２１５ａ２に登録されている個人ルールは、ユーザ自身が事前に登録する。
【０１２０】
ユーザＩＤ・パスワードテーブル２１６ａは、個人ルール毎にユーザＩＤとパスワードが管理されている。ユーザＩＤとパスワードは、ユーザ自身が事前に登録するものであり、個人ルールを登録する際に、ユーザＩＤとパスワードを登録する。
【０１２１】
実施の形態２におけるＷｅｂサイトアクセス要求の取得からカテゴリの問い合わせまでの処理は、前述の実施の形態１と同様であるため説明を割愛する。
【０１２２】
図１２は、実施の形態２にかかるＵＲＬフィルタリングルールの動作を例示するフローチャートである。
【０１２３】
端末装置５１がアクセス要求するＵＲＬのＷｅｂサイト７１のカテゴリが判別すると、図１２に示すように、制御部１１１は、フィルタリング情報記憶部２１７のフィルタリング部２１５に端末装置５１のＭＡＣアドレスの情報を渡し、端末装置５１に対して現在適用されているフィルタリングルールを問い合わせる。
【０１２４】
フィルタリング部２１５は、適用ルール２１５ｂを参照し、端末装置５１に対して現在適用されているフィルタリングルールを確認する（Ｓ１２０１）。
【０１２５】
適用ルール２１５ｂに保存されているフィルタリングルールが「未登録」の状態の場合（Ｓ１２０１：Ｙｅｓ）、フィルタリング部２１５は、制御部１１１に適用ルール２１５ｂに保存されているフィルタリングルールが「未登録」であることを通知する。
【０１２６】
適用ルール２１５ｂに保存されているフィルタリングルールが「未登録」の状態でない場合（Ｓ１２０１：Ｎｏ）、適用ルール２１５ｂには「デフォルトルール」又は「個人ルール」と保存されている。従って、フィルタリング部２１５は、制御部１１１に適用ルール２１５ｂに保存されているフィルタリングルールが「デフォルトルール」又は「個人ルール」であることを通知する。制御部１１１は、この通知を取得すると、前述のＳ９０１のＷｅｂサイト閲覧可否判別の処理へ移行する。
【０１２７】
制御部１１１は、フィルタリング部２１５から適用ルール２１５ｂに保存されているフィルタリングルールが「未登録」である旨の通知を受け取ると、フィルタリング部２１５に、端末装置５１のＭＡＣアドレスとカテゴリサーバ６１から取得した受信カテゴリの情報をフィルタリング部２１５に送信する。
【０１２８】
ここで、図１３を用いてデフォルトルールテーブル２１５ａ１について説明する。
図１３は、デフォルトルールテーブルを例示する図である。
図１３に示すように、デフォルトルールテーブル２１５ａ１は、ＭＡＣアドレスとそのＭＡＣアドレスに対して適用されるデフォルトルールの情報が登録されており、これらの情報はＷｅｂＧＵＩを使ってユーザ自身が事前に登録する。
【０１２９】
フィルタリング部２１５は、端末装置５１のＭＡＣアドレスと受信カテゴリの情報を取得すると、デフォルトルールテーブル２１５ａ１を参照し、端末装置５１のＭＡＣアドレスに対して登録されているデフォルトルールにおいて、受信カテゴリのＷｅｂサイトが閲覧可能か否かを確認する（Ｓ１２０２）。
【０１３０】
端末装置５１のＭＡＣアドレスに対して登録されているデフォルトルールにおいて、受信カテゴリのＷｅｂサイトが閲覧可能である場合（Ｓ１２０２：Ｙｅｓ）、フィルタリング部２１５は、端末装置５１は受信カテゴリのＷｅｂサイトが閲覧可能である旨の通知を制御部１１１に送信する。制御部１１１は、インターネット通信網８１を介してＷｅｂサイト７１からデータを取得し、ＬＡＮポート１１２を介して端末装置５１に取得したデータを送信する。
【０１３１】
端末装置５１はルータ装置１１からＷｅｂサイト７１のデータを取得すると、Ｗｅｂブラウザ５１ａでＷｅｂサイト７１の画面を表示する（Ｓ１２０９）。この場合は、デフォルトルールでＷｅｂサイト７１が閲覧可能の為、個人ルールの切り替えを行うか否かの判断をする必要はない。フィルタリング部２１５の適用ルール２１５ｂの保存状態は「未登録」のままとする。
【０１３２】
ここで、図１４を用いて個人ルールテーブル２１５ａ２について説明する。  
図１４は、個人ルールテーブルを例示する図である。  
図１４に示すように、個人ルールテーブル２１５ａ２は、個人ルールの情報が登録されている。この個人ルールは、ＭＡＣアドレステーブル１１４ａに登録されているＭＡＣアドレスの端末装置であれば適用可能である。個人ルールは、ＷｅｂＧＵＩを使ってユーザ自身が事前に登録する。
【０１３３】
端末装置５１のＭＡＣアドレスに対して登録されているデフォルトルールにおいて、受信カテゴリのＷｅｂサイトが閲覧不可である場合（Ｓ１２０２：Ｎｏ）、フィルタリング部２１５は、個人ルールテーブル２１５ａ２に登録されている全てのフィルタリングルールを確認する。そして、フィルタリング部２１５は、この中から受信カテゴリを閲覧可能としている個人ルールは存在するか否かを確認する（Ｓ１２０３）。
【０１３４】
個人ルールテーブル２１５ａ２に登録されている全ての個人ルールの中から受信カテゴリのＷｅｂサイトを閲覧可能とする個人ルールが存在する場合（Ｓ１２０３：Ｙｅｓ）、フィルタリング部２１５は、制御部１１１に認証を要求する。
【０１３５】
個人ルールテーブル２１５ａ２に登録されている全ての個人ルールの中から受信カテゴリのＷｅｂサイトを閲覧可能としている個人ルールが存在しない場合（Ｓ１２０３：Ｎｏ）、フィルタリング部２１５は、端末装置５１はＷｅｂサイト７１を閲覧できない旨の通知を制御部１１１に送信する。制御部１１１は、ＬＡＮポート１１２を介して端末装置５１にＷｅｂサイト７１は閲覧できないことを通知する（Ｓ１２１１）。
【０１３６】
これにより、デフォルトルールでＷｅｂサイト７１の閲覧が可能である場合、又は全ての個人ルールにおいてＷｅｂサイト７１が閲覧不可である場合、認証作業を行わなくてもよい。
【０１３７】
制御部１１１は、フィルタリング部２１５から認証要求を受け取ると、ＬＡＮポート１１２を介して端末装置５１にＷｅｂブラウザ５１ａ上で閲覧可能な認証画面のデータを送信し、端末装置５１を操作しているユーザに対して認証要求を行う（Ｓ１２０４）。
【０１３８】
ここで、端末装置５１のＷｅｂブラウザ５１ａに表示する認証画面について説明をする。  
図１５は、端末装置のＷｅｂブラウザの認証画面を例示する図である。  
図１５に示すように、認証画面１５０１は、デフォルトルール又は個人ルールを使用するかを選択するフォーム１５０２、ユーザＩＤ入力フォーム１５０３、パスワード入力フォーム１５０４とフォーム上の入力項目の値を確定するための確定ボタン１５０５を備えている。
【０１３９】
端末装置５１を操作しているユーザが、デフォルトルールを選択した場合、パスワードの入力は不要の為、パスワード入力フォーム１５０４にはパスワードを入力できない。また、端末装置５１を操作しているユーザがデフォルトルールを選択し、確定ボタン１５０５を押下した場合、端末装置５１はルータ装置１１にデフォルトルールが選択されたことを通知する。
【０１４０】
端末装置５１を操作しているユーザが、個人ルールを選択した場合、ユーザＩＤとパスワードの入力が必須となり、ユーザにユーザＩＤとパスワードの入力を促す。また、端末装置５１を操作しているユーザが、個人ルールを選択し、確定ボタン１５０５を押下した場合、端末装置５１は、個人ルールが選択された旨と、ユーザＩＤ入力フォーム１５０３に入力されたユーザＩＤ（以降、入力ユーザＩＤと呼称する）と、パスワード入力フォーム１５０４に入力された入力パスワードと、をルータ装置１１に送信する。
【０１４１】
これにより、Ｗｅｂブラウザ５１ａ上で認証作業が可能であるため、端末装置５１には本システムの専用ソフトウェアのインストールは不要である。
【０１４２】
続いて、ＵＲＬフィルタリングルールの動作について説明する。  
制御部１１１は、ＬＡＮポート１１２を介して端末装置５１から、認証要求に対する応答を取得した場合（Ｓ１２０５：Ｙｅｓ）、端末装置５１で選択されたフィルタリングルールが個人ルールであるかどうかを判別する（Ｓ１２０６）。
【０１４３】
制御部１１１は、端末装置５１で選択されたフィルタリングルールが個人ルールであった場合（Ｓ１２０６：Ｙｅｓ）、入力ユーザＩＤと入力パスワードを認証部２１６に送信する。
【０１４４】
ここで、ユーザＩＤ・パスワードテーブル２１６ａについて説明する。  
図１６は、ユーザＩＤ・パスワードテーブルを例示する図である
図１６に示すように、ユーザＩＤ・パスワードテーブル２１６ａは、個人ルールテーブル２１５ａ２に登録されている個人ルールに対応するユーザＩＤとパスワードが登録されている。これらの情報は、ＷｅｂＧＵＩを使ってユーザ自身が事前に登録するものである。例えば、ユーザが個人ルールを登録する際、ユーザＩＤとパスワードの登録も行う。
【０１４５】
ユーザＩＤ・パスワードテーブル２１６ａに登録されているフィルタリングルールは、個人ルールのみである。ユーザＩＤとパスワード入力を必要としないデフォルトルールは、このユーザＩＤ・パスワードテーブル２１６ａには登録されていない。
【０１４６】
続いて、ＵＲＬフィルタリングルールの動作について説明する。  
認証部２１６は、入力ユーザＩＤと入力パスワードを、制御部１１１から取得すると、ユーザＩＤ・パスワードテーブル２１６ａを参照する。認証部２１６は、端末装置５１を操作して入力した入力ユーザＩＤと、ユーザＩＤ・パスワードテーブル２１６ａのユーザＩＤとが一致し、ユーザが端末装置５１を操作して入力した入力パスワードとユーザＩＤ・パスワードテーブル２１６ａのパスワードとが一致し、これらに対応する個人ルールがあるかどうかを確認する。すなわち、認証部２１６は、制御部１１１から取得した入力ユーザＩＤと入力パスワードと一致する個人ルールがあるかどうかを確認する。認証部２１６は、確認の結果、一致する個人ルールがある場合は、認証に成功した旨と、「認証に成功した個人ルール」と、を制御部１１１に送信する。認証に成功した個人ルールは、たとえば、ユーザＩＤ・パスワードテーブル２１６ａの「個人ルール１」である。これにより、端末装置５１に適用するフィルタリングルールを特定する。認証部２１６は、確認の結果、ユーザＩＤと入力パスワードと一致する個人ルールがなかった場合は、認証に失敗した旨を制御部１１１に送信する。
【０１４７】
制御部１１１は、認証部２１６から認証結果を取得し、ユーザＩＤとパスワードによる認証に成功した場合（Ｓ１２０７：Ｙｅｓ）、制御部１１１は、端末装置５１のＭＡＣアドレスに対して適用するフィルタリングルールを「個人ルール」とする旨をフィルタリング部２１５に通知する。すなわち、制御部１１１は、ユーザＩＤ・パスワードテーブル２１６ａにおいて認証したユーザＩＤとパスワードとにより特定される「個人ルール」を端末装置５１に適用する旨をフィルタリング部２１５に通知する。
【０１４８】
フィルタリング部２１５は、適用ルール２１５ｂに端末装置５１のＭＡＣアドレスに適用するフィルタリングルールを「個人ルール」として保存する（Ｓ１２０８）。
フィルタリング部２１５は、端末装置５１のＭＡＣアドレスに適用するフィルタリングルールを「個人ルール」とする旨を制御部１１１に通知する。制御部１１１は、この通知を取得すると、前述のＳ９０１のＷｅｂサイト閲覧可否判別の処理へ移行する。そして、ユーザＩＤ・パスワードテーブル２１６ａにおいて認証したユーザＩＤとパスワードとにより特定される「個人ルール」のカテゴリの閲覧可否の情報を端末装置５１に適用する。
【０１４９】
制御部１１１は、ＬＡＮポート１１２を介して端末装置５１からの認証要求に対する応答を取得し（Ｓ１２０５：Ｙｅｓ）、端末装置５１で選択されたフィルタリングルールがデフォルトルールだった場合（Ｓ１２０６：Ｎｏ）、制御部１１１は、端末装置５１のＭＡＣアドレスに対して適用するフィルタリングルールを「デフォルトルール」とする旨を、フィルタリング部２１５に通知する。
【０１５０】
また、制御部１１１は、認証部２１６から認証結果を取得し、認証に失敗した場合（Ｓ１２０７：Ｎｏ）も、制御部１１１は、端末装置５１のＭＡＣアドレスに対して適用するフィルタリングルールを「デフォルトルール」とする旨をフィルタリング部２１５に通知する。
【０１５１】
フィルタリング部２１５は、端末装置５１のＭＡＣアドレスに対して適用するフィルタリングルールを「デフォルトルール」とする旨の通知を、制御部１１１から取得する。フィルタリング部２１５は、端末装置５１のＭＡＣアドレスに適用するフィルタリングルールを「デフォルトルール」として適用ルール２１５ｂに保存する（Ｓ１２１０）。フィルタリング部２１５は、端末装置５１は受信カテゴリのＷｅｂサイトを閲覧できない旨の通知を制御部１１１に送信する。
【０１５２】
制御部１１１は、ＬＡＮポート１１２を介して端末装置５１にＷｅｂサイト７１は閲覧できないことを通知する（Ｓ１２１１）。
【０１５３】
適用ルール２１５ｂに保存されているフィルタリングルールでのＷｅｂサイト閲覧可否判別の処理の流れについては、前述の図９を用いて説明した内容と同様である為、割愛する。
【０１５４】
このように、実施の形態２においては、個人ルール毎にユーザＩＤとパスワードを登録し、認証時にユーザＩＤとパスワードの入力を求める。これにより、ルータ装置に登録されているＭＡＣアドレスの端末装置のいずれに対しても適用可能な個人ルールを登録することができる。
【０１５５】
以上、説明した動作により、ルータ装置１１に登録する個人ルールをＭＡＣアドレステーブル１１４ａに登録されている全てのＭＡＣアドレスの端末装置に対して適用可能な共通の個人ルールとすることができる。
【０１５６】
なお、本発明は上記実施の形態に限られたものではなく、趣旨を逸脱しない範囲で適宜変更することが可能である。
【符号の説明】
【０１５７】
１１…ルータ装置  ５１…端末装置  ６１…カテゴリサーバ  ６１ａ…カテゴリデータベース  ７１…Ｗｅｂサイト  ８１…インターネット通信網  １１１…制御部  １１２…ＬＡＮポート  １１３…ＷＡＮポート  １１４…ＭＡＣアドレス識別部  １１４ａ…ＭＡＣアドレステーブル  １１５…フィルタリング部  １１５ａ…フィルタリングルールテーブル  １１５ｂ…適用ルール  １１６…認証部  １１６ａ…パスワードテーブル  １１７…フィルタリング情報記憶部  ２１５…フィルタリング部  ２１５ａ１…デフォルトルールテーブル  ２１５ａ２…個人ルールテーブル  ２１５ｂ…適用ルール  ２１６…認証部  ２１６ａ…ユーザＩＤ・パスワードテーブル  ２１７…フィルタリング情報記憶部  ７０１…認証画面  ７０２…フォーム  ７０３…パスワード入力フォーム  ７０４…確定ボタン  １５０１…認証画面  １５０２…フォーム  １５０３…ユーザＩＤ入力フォーム  １５０４…パスワード入力フォーム  １５０５…確定ボタン
【図１】
2019012545.tif 000003
【図２】
2019012545.tif 000004
【図３】
2019012545.tif 000005
【図４】
2019012545.tif 000006
【図５】
2019012545.tif 000007
【図６】
2019012545.tif 000008
【図７】
2019012545.tif 000009
【図８】
2019012545.tif 000010
【図９】
2019012545.tif 000011
【図１０】
2019012545.tif 000012
【図１１】
2019012545.tif 000013
【図１２】
2019012545.tif 000014
【図１３】
2019012545.tif 000015
【図１４】
2019012545.tif 000016
【図１５】
2019012545.tif 000017
【図１６】
2019012545.tif 000018